(57)【要約】【課題】適切に、技術のライフサイクルを捉えることを可能にする仕組みを提供すること。【解決手段】設定される実績関数に従って、着手関数を、実績関数と該着手関数の重なりが大きくなるように補正し、当該補正された着手関数に従って算出される着手係数と、該実績関数とに従って得られる着手指数と実績指数とを座標としてライフサイクルマップに出力することを特徴とする。【選択図】図４
2012118673.tif 000002
【特許請求の範囲】
【請求項１】
技術のライフサイクルの各過程時期を回答項目とするアンケートの結果として、当該回答項目ごとの回答数を記憶する記憶手段と、
当該技術の実績係数を求めるための実績関数と、当該技術の着手係数を求めるための着手関数とを設定する設定手段と、
前記設定手段で設定された実績関数に従って、前記設定手段で設定された着手関数を、該実績関数と該着手関数の重なりが大きくなるように補正する関数補正手段と、
前記関数補正手段により補正された着手関数に従って、当該回答項目ごとに着手係数を算出する第１の算出手段と、
前記設定手段により設定された実績関数に従って、当該回答項目ごとに実績係数を算出する第２の算出手段と、
前記第１の算出手段で算出された当該回答項目ごとの着手係数と、前記記憶手段に記憶されている当該回答項目ごとの回答数とに従って、着手指数を算出する着手算出手段と、
前記第２の算出手段で算出された当該回答項目ごとの実績係数と、前記記憶手段に記憶されている当該回答項目ごとの回答数とに従って、実績指数を算出する実績算出手段と、
前記着手算出手段で算出された着手指数と、前記実績算出手段で算出された実績指数とを、それぞれを座標軸とするマップに、座標として配置して出力する出力手段と、
を備えることを特徴とする情報処理装置。
【請求項２】
前記設定手段で設定される実績関数と着手関数との関係に対して、前記関数補正手段で着手関数を補正可能な補正範囲とを記憶する補正記憶手段を更に備え、
前記関数補正手段は、前記設定手段で設定された着手関数を、前記設定手段で設定された実績関数と前記設定手段で設定された着手関数との関係に対して、前記補正記憶手段に記憶されている補正範囲内で補正することを特徴とする請求項１に記載の情報処理装置。
【請求項３】
技術のライフサイクルの各過程時期を回答項目とするアンケートの結果として、当該回答項目ごとの回答数を記憶する記憶手段を備えた情報処理装置の制御方法であって、
前記情報処理装置の設定手段が、当該技術の実績係数を求めるための実績関数と、当該技術の着手係数を求めるための着手関数とを設定する設定工程と、
前記情報処理装置の関数補正手段が、前記設定工程で設定された実績関数に従って、前記設定工程で設定された着手関数を、該実績関数と該着手関数の重なりが大きくなるように補正する関数補正工程と、
前記情報処理装置の第１の算出手段が、前記関数補正工程により補正された着手関数に従って、当該回答項目ごとに着手係数を算出する第１の算出工程と、
前記情報処理装置の第２の算出手段が、前記設定工程により設定された実績関数に従って、当該回答項目ごとに実績係数を算出する第２の算出工程と、
前記情報処理装置の着手算出手段が、前記第１の算出工程で算出された当該回答項目ごとの着手係数と、前記記憶手段に記憶されている当該回答項目ごとの回答数とに従って、着手指数を算出する着手算出工程と、
前記情報処理装置の実績算出手段が、前記第２の算出工程で算出された当該回答項目ごとの実績係数と、前記記憶手段に記憶されている当該回答項目ごとの回答数とに従って、実績指数を算出する実績算出工程と、
前記情報処理装置の出力手段が、前記着手算出工程で算出された着手指数と、前記実績算出工程で算出された実績指数とを、それぞれを座標軸とするマップに、座標として配置して出力する出力工程と、
を備えることを特徴とする情報処理装置の制御方法。
【請求項４】
技術のライフサイクルの各過程時期を回答項目とするアンケートの結果として、当該回答項目ごとの回答数を記憶する記憶手段を備える情報処理装置で読み取り実行可能なプログラムであって、
前記情報処理装置を、
当該技術の実績係数を求めるための実績関数と、当該技術の着手係数を求めるための着手関数とを設定する設定手段と、
前記設定手段で設定された実績関数に従って、前記設定手段で設定された着手関数を、該実績関数と該着手関数の重なりが大きくなるように補正する関数補正手段と、
前記関数補正手段により補正された着手関数に従って、当該回答項目ごとに着手係数を算出する第１の算出手段と、
前記設定手段により設定された実績関数に従って、当該回答項目ごとに実績係数を算出する第２の算出手段と、
前記第１の算出手段で算出された当該回答項目ごとの着手係数と、前記記憶手段に記憶されている当該回答項目ごとの回答数とに従って、着手指数を算出する着手算出手段と、
前記第２の算出手段で算出された当該回答項目ごとの実績係数と、前記記憶手段に記憶されている当該回答項目ごとの回答数とに従って、実績指数を算出する実績算出手段と、
前記着手算出手段で算出された着手指数と、前記実績算出手段で算出された実績指数とを、それぞれを座標軸とするマップに、座標として配置して出力する出力手段として機能させることを特徴とするプログラム。
【発明の詳細な説明】
【技術分野】
【０００１】
本発明は、情報処理装置、及びその制御方法、プログラムに関し、特に、より適切に、技術のライフサイクルを捉えることを可能にする技術に関するものである。
【背景技術】
【０００２】
従来、研究開発や市場参入機会等の投資判断のために、対象となる技術、さらにそれらを含む技術領域の耐用年齢（ライフサイクル）を把握する必要性に迫られてきた。ライフサイクルとは、ひとつの技術の萌芽から始まり、普及・定着を経て衰退に向かう一連の流れを指す。技術によっては、普及せずに衰退に向かうものも多数あり、適正な投資判断が必要とされる。
【０００３】
ライフサイクルを捉える考え方の一つとして、成長曲線（ロジスティック曲線、またはＳ字曲線ともいう）モデルが広く知られている。これはいわば、正規分布モデルとして、技術のライフサイクルを捉えるものである。さらに近年では、このモデルを基にしつつ、複数の曲線でライフサイクルを捉えるモデルが表れている。
【０００４】
その一つとして、非特許文献１では、技術のライフサイクルを、キャズムと名付けた断絶を境に先進的な技術試行の山と技術普及の山をモデル化し、技術の普及にはキャズムを乗り越える革新が必要であることを示している。
【０００５】
また、非特許文献２では、技術に対する市場からの過度な期待の山と幻滅の谷、その後に続く普及の山を用いて、技術のライフサイクルにおける立ち位置を捉えている。
【０００６】
さらに、非特許文献３の論文では、技術軌道、開発軌道、普及軌道という３本の曲線から構成されるモデルによって、ライフサイクルを捉えようとする試みがなされている。
【０００７】
ただし、ある技術を、これらのモデルのどの位置（技術のライフサイクルのどのステイタス）にどのようにして位置付けるかは明確ではなかった。また、従来のそれぞれの手法では、関連特許数や株価変動、あるいは関連企業数等の統計情報を基に、総合的に位置（技術のライフサイクルのステイタス）を決定していると考えられる。
【０００８】
従来、このような技術のライフサイクルの把握の取り組みとして、非特許文献４に示されるアンケート結果による分析及び視覚化方式が知られている。この中に示される「ライフサイクルマップによる変動分析」では、縦軸に「着手意向指数」、横軸に「ＳＩ実績指数」を採り、各技術要素の位置をマッピングする。具体的には、各アンケートの回答結果を排他的に「着手」と「実績」に分類して指数を決定し、それぞれを集計した平均が座標軸上にマッピングされる。
【０００９】
つまり、「着手」と「実績」に分類された項目の数がそのまま回答数の総和となるため、各技術要素が、マッピングされる図の対角線を境界として左下のみにマップされ、全体として分布状況が三角形を描くことに特徴がある。
【先行技術文献】
【非特許文献】
【００１０】
【非特許文献１】ムーア，キャズム，ＩＳＢＮ４７９８１０１５２４
【非特許文献２】ガートナー  ジャパン株式会社，                  ハイプ・サイクル―新しい技術への期待と現実を明らかに，                  ｈｔｔｐ：／／ｗｗｗ．ｇａｒｔｎｅｒ．ｃｏ．ｊｐ／ｒｅｓｅａｒｃｈ／ｍｅｔｈｏｄｏｌｏｇｉｅｓ／ｒｅｓｅａｒｃｈ＿ｈｙｐｅ．ｐｈｐ
【非特許文献３】弘岡，イノベーションのタイミング計測と産業展開，２００６
【非特許文献４】（社）情報サービス産業協会，                  情報サービス産業における技術マップに関する調査報告（平成１８年度）
【発明の概要】
【発明が解決しようとする課題】
【００１１】
しかしながら、上記先行技術に示す方式には、以下のような課題があった。
【００１２】
非特許文献４では、ライフサイクルマップの説明として矢印で補強することで、技術サイクルが図示されることを補足しているが、実際の分布状況は対角線の左下半分しか使用しない三角形の分布となることから、対角線を挟み、マップ表示領域の右上半分が無駄になっており、全体として、技術サイクルの読み取りやすさに欠けている。
【００１３】
さらに、非特許文献４では、ライフサイクルの各段階を１期から４期として示しているが、段階の境界が明示されているわけではない。先に述べたように、技術ライフサイクルを用いる大きな理由は、技術投資の妥当性を判断するためであるが、非特許文献４に示す方式では判断しづらいものとなっている。
【００１４】
さらに、非特許文献４では、アンケートの回答結果を選択肢ごとに排他的に分類している。すなわち、例えば、アンケート結果の回答として、ある技術について試行的に開発着手している旨の回答（着手回答）と、ある技術について普及しており開発実績がある旨の回答（実績回答）とを排他的に分類している。
【００１５】
しかしながら、新しい技術の利用というものは、実際には、ある技術について試行的に開発着手している段階（試行の山）と、ある技術について普及しており開発実績がある段階（着手の山）とは重なる部分を持つため、その中に試行的な部分と普及的な部分の両方が含まれている。すなわち、実績があるということは、着手しているということでもあるため、上記先行技術のように実績と着手を完全に排他的に考慮したのでは、適切に、技術のライフサイクルの流れを適切に捉えることが難しい。このように、従来の分類方式では、技術に関する研究開発の実績と、技術に関する研究開発の着手とをそれぞれ独立して排他的に分類しているため、適切に技術のライフサイクルの流れを捉えることが難しい。
【００１６】
そこで、本発明の目的は、設定される実績関数に従って、着手関数を、実績関数と該着手関数の重なりが大きくなるように補正し、当該補正された着手関数に従って算出される着手係数と、該実績関数とに従って得られる着手指数と実績指数とを座標としてライフサイクルマップに出力することにより、より適切に、技術のライフサイクルを捉えることを可能にする仕組みを提供することである。
【課題を解決するための手段】
【００１７】
本発明は、技術のライフサイクルの各過程時期を回答項目とするアンケートの結果として、当該回答項目ごとの回答数を記憶する記憶手段と、当該技術の実績係数を求めるための実績関数と、当該技術の着手係数を求めるための着手関数とを設定する設定手段と、前記設定手段で設定された実績関数に従って、前記設定手段で設定された着手関数を、該実績関数と該着手関数の重なりが大きくなるように補正する関数補正手段と、前記関数補正手段により補正された着手関数に従って、当該回答項目ごとに着手係数を算出する第１の算出手段と、前記設定手段により設定された実績関数に従って、当該回答項目ごとに実績係数を算出する第２の算出手段と、前記第１の算出手段で算出された当該回答項目ごとの着手係数と、前記記憶手段に記憶されている当該回答項目ごとの回答数とに従って、着手指数を算出する着手算出手段と、前記第２の算出手段で算出された当該回答項目ごとの実績係数と、前記記憶手段に記憶されている当該回答項目ごとの回答数とに従って、実績指数を算出する実績算出手段と、前記着手算出手段で算出された着手指数と、前記実績算出手段で算出された実績指数とを、それぞれを座標軸とするマップに、座標として配置して出力する出力手段と、を備えることを特徴とする。
【００１８】
また、本発明は、技術のライフサイクルの各過程時期を回答項目とするアンケートの結果として、当該回答項目ごとの回答数を記憶する記憶手段を備えた情報処理装置の制御方法であって、前記情報処理装置の設定手段が、当該技術の実績係数を求めるための実績関数と、当該技術の着手係数を求めるための着手関数とを設定する設定工程と、前記情報処理装置の関数補正手段が、前記設定工程で設定された実績関数に従って、前記設定工程で設定された着手関数を、該実績関数と該着手関数の重なりが大きくなるように補正する関数補正工程と、前記情報処理装置の第１の算出手段が、前記関数補正工程により補正された着手関数に従って、当該回答項目ごとに着手係数を算出する第１の算出工程と、前記情報処理装置の第２の算出手段が、前記設定工程により設定された実績関数に従って、当該回答項目ごとに実績係数を算出する第２の算出工程と、前記情報処理装置の着手算出手段が、前記第１の算出工程で算出された当該回答項目ごとの着手係数と、前記記憶手段に記憶されている当該回答項目ごとの回答数とに従って、着手指数を算出する着手算出工程と、前記情報処理装置の実績算出手段が、前記第２の算出工程で算出された当該回答項目ごとの実績係数と、前記記憶手段に記憶されている当該回答項目ごとの回答数とに従って、実績指数を算出する実績算出工程と、前記情報処理装置の出力手段が、前記着手算出工程で算出された着手指数と、前記実績算出工程で算出された実績指数とを、それぞれを座標軸とするマップに、座標として配置して出力する出力工程と、を備えることを特徴とする。
【００１９】
また、本発明は、技術のライフサイクルの各過程時期を回答項目とするアンケートの結果として、当該回答項目ごとの回答数を記憶する記憶手段を備える情報処理装置で読み取り実行可能なプログラムであって、前記情報処理装置を、当該技術の実績係数を求めるための実績関数と、当該技術の着手係数を求めるための着手関数とを設定する設定手段と、前記設定手段で設定された実績関数に従って、前記設定手段で設定された着手関数を、該実績関数と該着手関数の重なりが大きくなるように補正する関数補正手段と、前記関数補正手段により補正された着手関数に従って、当該回答項目ごとに着手係数を算出する第１の算出手段と、前記設定手段により設定された実績関数に従って、当該回答項目ごとに実績係数を算出する第２の算出手段と、前記第１の算出手段で算出された当該回答項目ごとの着手係数と、前記記憶手段に記憶されている当該回答項目ごとの回答数とに従って、着手指数を算出する着手算出手段と、前記第２の算出手段で算出された当該回答項目ごとの実績係数と、前記記憶手段に記憶されている当該回答項目ごとの回答数とに従って、実績指数を算出する実績算出手段と、前記着手算出手段で算出された着手指数と、前記実績算出手段で算出された実績指数とを、それぞれを座標軸とするマップに、座標として配置して出力する出力手段として機能させることを特徴とする。
【発明の効果】
【００２０】
本発明によれば、設定される実績関数に従って、着手関数を、実績関数と該着手関数の重なりが大きくなるように補正し、当該補正された着手関数に従って算出される着手係数と、該実績関数とに従って得られる着手指数と実績指数とを座標としてライフサイクルマップに出力することにより、より適切に、技術のライフサイクルを捉えることができる。
【図面の簡単な説明】
【００２１】
【図１】本発明の実施形態における技術ライフサイクル分析及び視覚化システムの構成を示す図である。
【図２】本発明の実施形態における術ライフサイクル分析及び視覚化システムのハードウェア構成を示す図である。
【図３】本発明の実施形態における技術ライフサイクル分析及び視覚化システムの表示装置に表示されるモデル選択画面の一例を示す図である。
【図４】本発明の実施形態における技術ライフサイクル分析及び視覚化システムの表示装置に表示されるモデル編集画面の一例を示す図である。
【図５】本発明の実施形態における技術ライフサイクル分析及び視覚化システムの表示装置に表示されるマップガイドライン編集画面の一例を示す図である。
【図６】本発明の実施形態における技術ライフサイクル分析及び視覚化システムの表示装置に表示されるライフサイクルマップ出力画面の一例を示す図である。
【図７】本発明の実施形態における技術ライフサイクル分析及び視覚化システムにおけるモデル選択画面例（図３）でのモデル情報の作成・複写・編集（他画面遷移あり）・削除の各処理フローを示す図である。
【図８】本発明の実施形態における技術ライフサイクル分析及び視覚化システムにおけるモデル編集画面例（図４）でのモデル情報の編集処理フロー（他画面遷移あり）を示す図である。
【図９】本発明の実施形態における技術ライフサイクル分析及び視覚化システムにおけるマップガイドライン編集画面例（図５）でのマップガイドライン情報の編集処理フローを示す図である。
【図１０】本発明の実施形態における技術ライフサイクル分析及び視覚化システムにおけるモデル選択画面例（図３）でのライフサイクルマップ表示処理フロー（他画面遷移あり）を示す図である。
【図１１】本発明の実施形態における技術ライフサイクル分析及び視覚化システムで用いられる集積済み基礎データの抽出元となる多肢選択式のアンケート画面実施例である。
【図１２】本発明の実施形態における技術ライフサイクル分析及び視覚化システムで使用する基礎データのマスターテーブルを示す図である。
【図１３】本発明の実施形態における技術ライフサイクル分析及び視覚化システムで使用する組織情報の情報テーブルを示す図である。
【図１４】本発明の実施形態における技術ライフサイクル分析及び視覚化システムで使用する技術用語情報の情報テーブルを示す図である。
【図１５】本発明の実施形態における技術ライフサイクル分析及び視覚化システムで使用する複数の多肢選択式のアンケート画面実施例（図１１）から集積した組織別基礎データの情報テーブルを示す図である。
【図１６】本発明の実施形態における技術ライフサイクル分析及び視覚化システムで使用するモデル情報テーブルを示す図である。
【図１７】本発明の実施形態における技術ライフサイクル分析及び視覚化システムで使用するマップガイドライン情報テーブルを示す図である。
【図１８】本発明の実施形態における技術ライフサイクル分析及び視覚化システムで使用するガイド領域テーブルを示す図である。
【発明を実施するための形態】
【００２２】
以下、図面を参照して、本発明の実施形態を詳細に説明する。
図１は、本発明の実施形態における技術ライフサイクル分析及び視覚化システム１００の機能構成を示す図である。
技術ライフサイクル分析及び視覚化システム１００は、本発明の情報処理装置の適用例である。
【００２３】
ユーザー指示端末１０１は、本発明の実施形態における技術ライフサイクル分析及び視覚化システム１００のユーザーが指示を行う端末装置であり、キーボード２０９とマウス２１０を用いて、指示を入力する。
【００２４】
モデルＤＢ１０２は、本発明の実施形態における技術ライフサイクル分析及び視覚化システムで使用するモデル情報を管理するデータベースである。図１６に、データベース構造の具体例を示す。
【００２５】
マップガイドラインＤＢ１０３は、本発明の実施形態における技術ライフサイクル分析及び視覚化システムで使用するマップガイドライン情報を管理するデータベースである。図１７に、データベース構造の具体例を示す。
【００２６】
ガイド領域ＤＢ１０４は、本発明の実施形態における技術ライフサイクル分析及び視覚化システムで使用するガイド領域情報を管理するデータベースである。図１８に、データベース構造の具体例を示す。
【００２７】
基礎データマスターＤＢ１０５は、本発明の実施形態における技術ライフサイクル分析及び視覚化システムで使用する基礎データのマスター情報を管理するデータベースである。図１２に、データベース構造の具体例を示す。
【００２８】
組織情報ＤＢ１０６は、本発明の実施形態における技術ライフサイクル分析及び視覚化システムで使用する組織情報を管理するデータベースである。図１３に、データベース構造の具体例を示す。
【００２９】
技術用語ＤＢ１０７は、本発明の実施形態における技術ライフサイクル分析及び視覚化システムで使用する技術用語情報を管理するデータベースである。図１４に、データベース構造の具体例を示す。
【００３０】
集積済基礎データ１０８は、本発明の実施形態における技術ライフサイクル分析及び視覚化システムで使用する複数の多肢選択式のアンケート画面実施例（図１１）から集積した組織別基礎データを管理するデータベースである。図１５に、データベース構造の具体例を示す。
【００３１】
ライフサイクルマップ１０９は、本発明の実施形態における技術ライフサイクル分析及び視覚化システムの出力情報となるライフサイクルマップである。
【００３２】
モデル編集用ユーザーインターフェース１１０は、モデル加工部１１１とマップガイドライン加工部１１２から構成され、ユーザー指示端末１０１に対してモデル情報操作用のユーザーインターフェースを提供し、ユーザーからの操作指示を受け付ける。
【００３３】
モデル加工部１１１は、モデル情報を加工・編集するためのユーザーインターフェースを提供する。ここで加工されたモデル情報は、モデル情報管理部１１４よって管理され、モデルＤＢ１０２に格納される。
【００３４】
マップガイドライン加工部１１２は、マップガイドライン情報及びそれに付随する０個以上のガイド領域情報を加工・編集するためのユーザーインターフェースを提供する。ここで加工されたマップガイドライン情報及びガイド領域情報は、モデル情報管理部１１４よって管理され、マップガイドラインＤＢ１０３及びガイド領域ＤＢ１０４に格納される。
【００３５】
基礎データ抽出部１１３は、集積済基礎データ１０８から全件または必要な範囲の基礎データを読み込み、管理する。
【００３６】
モデル情報管理部１１４は、モデル関数管理部１１５、基礎データ時系列管理部１１６及びマップガイドライン管理部１１７から構成されており、モデル編集用ユーザーインターフェース１１０を通じて加工されるモデル情報、マップガイドライン情報及びガイド領域情報を管理し、モデルＤＢ１０２、マップガイドラインＤＢ１０３及びガイド領域ＤＢ１０４との入出力を行う。
【００３７】
モデル関数管理部１１５は、モデル情報のうちモデル関数に関する情報を管理する。モデル関数は、着手モデル関数と実績モデル関数の二種類があり、それぞれの式と期間延長のための調整値を管理する。モデル関数がグラフとして描画された場合、そのＸ軸は過去から将来に向かう時系列に相当される。
【００３８】
基礎データ時系列管理部１１６は、モデル情報のうち基礎データに対する時系列割当調整値を管理する。この値は、基礎データマスターＤＢ１０５に格納される各基礎データ項目を、モデル関数が適用される時系列のどの位置に割り当てるかを示したものである。
【００３９】
マップガイドライン管理部１１７は、マップガイドライン情報及びそれに付随する０個以上のガイド領域情報を管理する。これらの情報は、ライフサイクルマップ１０９を出力する際、分析補助の目的で、マップガイドライン合成部１２１によって合成して表示されるものである。
【００４０】
指数算出部１１８は、モデル関数管理部１１５及び基礎データ時系列管理部１１６を用いて、各基礎データ項目に割り当てられた時系列位置の値を、着手モデル関数と実績モデル関数から着手係数（８系統）、実績係数（８系統）として導出する。ここで、着手係数とは、着手指数を算出するための１回答当たりの重みであり、また、実績係数とは、実績指数を算出するための１回答当たりの重みである。その後、集積済基礎データ１０８内のキーワード項目（回答項目）ごとの基礎データの個数（回答数）を集計し、その個数に導出した着手係数、実績係数をそれぞれかけ合わせて加重平均を算出し、算出した値をそれぞれ着手指数、実績指数とする。ここで、ｎは多肢選択式の選択肢数、ｘは着手係数３０８、ｙは実績係数３０９、ｏはそれぞれの選択肢を選択した組織数に相当し、この式を回答組織数で平均したものを用いる。
【００４１】
以下の数式（数１）の上側の式が、着手指数を算出するための式であり、下側の式が実績指数を算出するための式である。
【００４２】
【数１】
2012118673.tif 000003
【００４３】
算出に用いられる集積済基礎データ１０８は、一例として図１１に示すようなアンケート手法などを用いることによって集積されたデータを指している。図１５には、その具体例として、組織単位で回答した基礎データを、ひとつのリストとしてまとめたものを示している。このリストの横軸は、技術用語ＤＢ１０７で管理される一連の技術キーワードであり、これは図１１に例示するアンケート項目に相当する。縦軸は組織情報ＤＢ１０６で管理される回答対象の組織である。基礎データは、基礎データマスターＤＢ１０５内の項目を用いた値で構成されており、これらはアンケート手法などにより対象組織が選択した多肢選択式の項目に相当する。
【００４４】
分析マップ表示部１１９は、座標算出部１２０及びマップガイドライン合成部１２１から構成され、算出されたキーワード項目ごとの着手指数、実績指数を元に、ライフサイクルマップ１０９を表示する。
【００４５】
座標算出部１２０は、算出されたキーワード項目ごとの着手指数、実績指数をそれぞれ座標のＹ座標値、Ｘ座標値として組とし、キーワード項目をラベルとして座標位置にアイコンを生成する。
【００４６】
マップガイドライン合成部１２１は、マップガイドライン管理部１１７からマップガイドライン情報及びそれに付随する０個以上のガイド領域情報を受け取り、ライフサイクルマップ１０９上に合成する。
【００４７】
次に、図１の技術ライフサイクル分析及び視覚化システムの処理端末のハードウェア構成について、図２を用いて説明する。
【００４８】
図２は、本発明の実施形態における技術ライフサイクル分析及び視覚化システム１００（情報処理装置）のハードウェア構成を示す図である。
【００４９】
ＣＰＵ２０１は、システムバス２０４に接続される各デバイスやコントローラを統括的に制御する。
【００５０】
また、ＲＯＭ２０３あるいは外部メモリ２１２には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０２は、ＣＰＵ２０１の主メモリ、ワークエリア等として機能する。
【００５１】
ＣＰＵ２０１は、処理の実行に際して必要なプログラム等をＲＡＭ２０２にロードして、プログラムを実行することで各種動作を実現するものである。
【００５２】
また、入力コントローラ（入力Ｃ）２０５は、キーボード２０９やマウス２１０等のポインティングデバイスからの入力を制御する。
【００５３】
ビデオコントローラ（ＶＣ）２０６は、ＣＲＴディスプレイ（ＣＲＴ）２１１等の表示器への表示を制御する。なお、表示器はＣＲＴだけでなく、液晶ディスプレイでも構わない。これらは図１に示す技術ライフサイクル分析及び視覚化プログラムによって生成される図３のモデル入力管理画面３００や図４のライフサイクルマップ出力画面４００等の各種処理画面を表示出力する。これらの画面についての詳細な説明は後述する。
【００５４】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）あるいはＰＣＭＣＩＡカードスロットにアダプタを介して接続されるコンパクトフラッシュメモリ等の外部メモリ２１２へのアクセスを制御する。
【００５５】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００５６】
なお、ＣＰＵ２０１は、例えばＲＡＭ２０２内の表示情報用領域へアウトラインフォントの展開（ラスタライズ）処理を実行することにより、ＣＲＴ２１１上での表示を可能としている。また、ＣＰＵ２０１は、ＣＲＴ２１１上のマウス２１０用カーソル等でのユーザー指示を可能とする。
【００５７】
本発明を実現するための技術ライフサイクル分析及び視覚化プログラムは外部メモリ２１２に記録されており、必要に応じてＲＡＭ２０２にロードされることによりＣＰＵ２０１によって実行されるものである。さらに、本発明に係わるプログラムが用いる集積済基礎データ１０９及び組織情報ＤＢ１１２と技術用語ＤＢ１１４に格納される情報テーブルは外部メモリ２１２に格納されており、これらについての詳細な説明は後述する。
すなわち、また、図１２〜図１８に示すテーブルは、外部メモリ２１２に記憶されている。
【００５８】
次に、図３は本発明の実施形態における技術ライフサイクル分析及び視覚化システムの表示装置に表示されるモデル選択画面の一例を示す図である。
【００５９】
作成済モデル一覧表示選択域３０１は、分析ユーザーによって作成され、技術ライフサイクル分析及び視覚化システムに管理されているモデルを一覧表示する作成済モデル管理用一覧域である。この一覧を選択することにより、選択されたモデルの情報が選択モデル対応マップガイドライン名表示域３０６、選択モデル対応マップガイドライン画像表示域３０７、選択モデル対応着手係数表示域３０８に反映される。
【００６０】
新規モデル作成指示アイコン３０２は、技術ライフサイクル分析及び視覚化システムに登録管理する新規のモデルの作成を指示するアイコンである。指示によって、作成済モデル一覧表示選択域３０１に新しいモデルが追加される。この時、新しいモデルのモデル名は「新規モデル＿０１」といった暫定的な名称がつけられ、モデル情報は正規分布曲線を元にしたシステム初期値で初期化される。以降、このシステム初期値を標準モデルと呼ぶ。ここで正規分布曲線は、以下のような式であらわされる。ここで各記号は、ネイピア数に対する指数関数（ｅｘｐ）、分散（σ）、平均（μ）となる。着手モデル関数と実績モデル関数は、σは共通であるが、μが異なる曲線として重ねあわされたものとして扱う。この分布は、μを中心とした左右対称な形をしており、中心部が最も高いベル型をしている。図示の一例は、モデル関数用グラフ表示域４１０に示す。
【００６１】
【数２】
2012118673.tif 000004
【００６２】
選択モデル編集指示アイコン３０３は、作成済モデル一覧表示選択域３０１から選択されたモデルの編集を指示するアイコンである。指示によって、選択されたモデル情報を設定した形で、図４に示されるモデル編集画面が表示される。
【００６３】
選択モデル複写指示アイコン３０４は、作成済モデル一覧表示選択域３０１から選択されたモデルの複写を指示するアイコンである。指示によって、選択されたモデルが複写され、作成済モデル一覧表示選択域３０１に追加される。この時、複写されたモデルのモデル名は「複写した（元のモデル名）」といった暫定的な名称がつけられる。
【００６４】
選択モデル削除指示アイコン３０５は、作成済モデル一覧表示選択域３０１から選択されたモデルの削除を指示するアイコンである。指示によって、選択されたモデルが作成済モデル一覧表示選択域３０１から削除される。
【００６５】
選択モデル対応マップガイドライン名表示域３０６は、作成済モデル一覧表示選択域３０１から選択されたモデルに紐づけられているマップガイドライン名を表示する。
【００６６】
選択モデル対応マップガイドライン画像表示域３０７は、作成済モデル一覧表示選択域３０１から選択されたモデルに紐づけられているマップガイドライン情報及びそれに付随する０個以上のガイド領域情報のイメージを表示する。
【００６７】
選択モデル対応着手係数表示域３０８は、作成済モデル一覧表示選択域３０１から選択されたモデル情報から導出された着手係数（８系統）を表示する。
【００６８】
選択モデル対応実績係数表示域３０９は、作成済モデル一覧表示選択域３０１から選択されたモデル情報から導出された実績係数（８系統）を表示する。
【００６９】
ライフサイクルマップ表示指示アイコン３１０は、選択モデル対応着手係数表示域３０８及び選択モデル対応実績係数表示域３０９に表示されている係数値を利用して、ライフサイクルマップ１０９の生成を指示するアイコンである。
【００７０】
次に、図４は本発明の実施形態における技術ライフサイクル分析及び視覚化システムの表示装置に表示されるモデル編集画面の一例を示す図である。
【００７１】
編集対象モデル対応着手係数表示域４０１は、編集対象となっているモデル情報から導出された着手係数（８系統）を表示する。導出方法は、基礎データ項目への時系列割当調整操作用アイコン（８系統）４０３で設定された時系列位置を入力値として、着手モデル関数に適用した値を用いる。着手モデル関数が、着手モデル関数期間延長調整操作用アイコン４０４によって、延長調整されている場合は、その範囲を加味した適切な値を用いる。具体的には、延長開始時点以前、延長期間内、延長期間以後に分けて、値の導出を行う。
【００７２】
編集対象モデル対応実績係数表示域４０２は、編集対象となっているモデル情報から導出された実績係数（８系統）を表示する。導出方法は、基礎データ項目への時系列割当調整操作用アイコン（８系統）４０３で設定された時系列位置を入力値として、実績モデル関数に適用した値を用いる。実績モデル関数が、実績モデル関数期間延長調整操作用アイコン４０５によって、延長調整されている場合は、その範囲を加味した適切な値を用いる。具体的には、延長開始時点以前、延長期間内、延長期間以後に分けて、値の導出を行う。
【００７３】
基礎データ項目への時系列割当調整操作用アイコン（８系統）４０３は、基礎データマスターＤＢ１０５で管理される基礎データ項目が、時系列のどの位置に該当するかを調整する操作ノブを提供する。このノブを、マウス２１０を用いて左右に動かすことで、時系列位置を調整する。ノブは、基礎データの数に合わせて、８系統提供される。
【００７４】
着手モデル関数期間延長調整操作用アイコン４０４は、着手モデル関数によって描かれたグラフの一部を延長するための２つの操作ノブを提供する。一つは延長開始位置を決めるノブであり、もう一つは延長終了位置を決めるノブである。このノブは、延長開始時点のモデル関数の値を、延長終了位置まで引き延ばす機能を持つ。これは、技術ごとに着手ライフサイクルの寿命や傾向が異なる場合に調整する働きを持つ。
【００７５】
実績モデル関数期間延長調整操作用アイコン４０５は、実績モデル関数によって描かれたグラフの一部を延長するための２つの操作ノブを提供する。一つは延長開始位置を決めるノブであり、もう一つは延長終了位置を決めるノブである。このノブは、延長開始時点のモデル関数の値を、延長終了位置まで引き延ばす機能を持つ。これは、技術ごとに実績ライフサイクルの寿命や傾向が異なる場合に調整する働きを持つ。
【００７６】
モデル名表示入力域４０６は、編集対象となっているモデルの名称が表示される。表示されている値を変更することでモデル名を変更することができる。
【００７７】
着手モデル関数表示入力域４０７は、着手係数算出に用いるモデル関数を入力する。モデル関数としては、正規分布、線形（一次関数）、８値均等を設定できるように、システム組込みで提供する。このうち８値均等は、８つの値を順に均等に配置するもので、市場調査からの集計値等の非数式型の係数を適用させる場合に用いる。
【００７８】
実績モデル関数表示入力域４０８は、実績係数算出に用いるモデル関数を入力する。モデル関数としては、正規分布、線形（一次関数）、８値均等を設定できるように、システム組込みで提供する。このうち８値均等は、８つの値を順に均等に配置するもので、市場調査からの集計値等の非数式型の係数を適用させる場合に用いる。
【００７９】
標準モデル値設定指示アイコン４０９は、モデル名表示入力域４０６を除くモデル情報を標準モデル（システム初期値）で初期化指示するアイコンである。これは、モデル設定作業のやり直しなどに用いる簡易設定機能である。
【００８０】
モデル関数用グラフ表示域４１０は、着手モデル関数表示入力域４０７及び実績モデル関数表示入力域４０８に入力されたモデル関数のグラフ化イメージを表示する領域である。この時、着手モデル関数期間延長調整操作用アイコン４０４または実績モデル関数期間延長調整操作用アイコン４０５によって、延長調整されている場合は、その情報を加味したグラフを表示する。
編集対象モデル対応マップガイドライン名表示域４１１は、編集対象となっているモデルに紐づけられているマップガイドライン名を表示する。
【００８１】
マップガイドライン編集指示アイコン４１２は、編集対象となっているモデルに紐づけられているマップガイドライン情報の編集を指示するアイコンである。指示によって、紐づけられているマップガイドライン情報を設定した形で、図５に示されるマップガイドライン編集画面が表示される。
【００８２】
モデル編集情報設定保存指示アイコン４１３は、編集した情報の確定を指示するアイコンである。指示によって、モデル編集画面４００が閉じ、モデルＤＢ１０２上の情報が更新される。この時、設定情報に不備がある場合は、不図示の警告パネルを表示し、情報の確定は行われない。
【００８３】
モデル編集処理キャンセル指示アイコン４１４は、編集のキャンセルを指示するアイコンである。指示によって、モデル編集画面４００が閉じ、編集中の情報は破棄される。
【００８４】
次に、図５は本発明の実施形態における技術ライフサイクル分析及び視覚化システムの表示装置に表示されるマップガイドライン編集画面の一例を示す図である。
【００８５】
編集対象マップガイドラインイメージ表示域５０１は、編集対象のマップガイドラインイメージを表示する領域である。
【００８６】
象限ラベル表示域５０２は、編集対象マップガイドラインイメージ表示域５０１内を２×２の象限に分割し、その各象限の名称をラベルとして表示する領域である。ラベルに表示される値は、象限ラベル名表示入力域（４系統）５０７に入力された値が反映される。
【００８７】
回転矢印ラベル表示域５０３は、正規分布モデルを用いた場合に、そのライフサイクルの流れを回転矢印ラベルとして表示する領域である。線形モデルを利用した場合は不要であるため、回転矢印ラベル表示指示アイコン５０８による設定によって表示／非表示を切り替えることができる。
【００８８】
ガイド領域５０４は、分析支援のための情報であり、ライフサイクルマップ内の特定の領域が分析上意味を持つ場合、その領域に対してアイコンと名称を設定したものである。ガイド領域５０４は、ライフサイクルマップ内に０個以上設定できる（不要であれば設定しなくてもよい）。
【００８９】
選択されたガイド領域５０５は、編集対象マップガイドライン含有のガイド領域一覧表示選択域５０９上のガイド領域名を選択した場合、対応するガイド領域が選択されたことがわかるように、囲みなどで強調表示を行ったものである。
【００９０】
マップガイドライン名表示入力域５０６は、編集対象マップガイドラインの名称を表示する領域である。内容を変更することで、編集対象のマップガイドライン名を変更することが可能である。
【００９１】
象限ラベル名表示入力域（４系統）５０７は、象限ラベル表示域５０２に設定する象限ラベル名を入力・変更する表示入力域である。
【００９２】
回転矢印ラベル表示指示アイコン５０８は、回転矢印ラベル表示域５０３に回転矢印ラベルを表示するかどうかを指示するアイコンである。
【００９３】
編集対象マップガイドライン含有のガイド領域一覧表示選択域５０９は、編集対象マップガイドラインに関連付けられている０個以上のガイド領域名の一覧を表示する領域である。編集対象マップガイドライン含有のガイド領域一覧表示選択域５０９上のガイド領域名を選択した場合、選択されたガイド領域５０５のように、囲みなどで強調表示が行われ、選択ガイド領域名表示入力域５１２にその名称が反映される。
【００９４】
新規ガイド領域追加指示アイコン５１０は、編集対象マップガイドラインに追加する新規のガイド領域の作成を指示するアイコンである。指示によって、編集対象マップガイドライン含有のガイド領域一覧表示選択域５０９に新しいガイド領域が追加される。この時、新しいガイド領域のガイド領域名は「新規ガイド領域＿０１」といった暫定的な名称がつけられ、暫定的な位置とサイズが設定される。
【００９５】
選択ガイド領域削除指示アイコン５１１は、編集対象マップガイドライン含有のガイド領域一覧表示選択域５０９上のガイド領域名を選択している場合、そのガイド領域の削除を指示するアイコンである。選択されているガイド領域名がない場合は、不図示の警告パネルを表示し、処理は行われない。
【００９６】
選択ガイド領域名表示入力域５１２は、編集対象マップガイドライン含有のガイド領域一覧表示選択域５０９上のガイド領域名を選択している場合、そのガイド領域名を表示する表示入力域である。内容を変更することで、選択中のガイド領域名を変更することが可能である。
【００９７】
選択ガイド領域位置変更指示アイコン（上下左右４系統）５１３は、編集対象マップガイドライン含有のガイド領域一覧表示選択域５０９上のガイド領域名を選択している場合、そのガイド領域の表示位置を移動させるための指示アイコンである。それぞれのアイコンが示す方向に合わせ、選択されたガイド領域５０５を上下左右に移動させることができる。
【００９８】
選択ガイド領域サイズ変更指示アイコン（上下拡縮、左右拡縮４系統）５１４は、編集対象マップガイドライン含有のガイド領域一覧表示選択域５０９上のガイド領域名を選択している場合、そのガイド領域のサイズを変更させるための指示アイコンである。それぞれのアイコンが示す方向に合わせ、選択されたガイド領域５０５のサイズを上下拡縮、左右拡縮させることができる。この時、拡縮の基準位置は選択されたガイド領域５０５の右下角となり、残りの角は固定される。
【００９９】
マップガイドライン編集情報設定保存指示アイコン５１５は、編集した情報の確定を指示するアイコンである。指示によって、マップガイドライン編集画面５００が閉じ、マップガイドラインＤＢ１０３及びガイド領域ＤＢ１０４上の情報が更新される。この時、設定情報に不備がある場合は、不図示の警告パネルを表示し、情報の確定は行われない。
【０１００】
マップガイドライン編集処理キャンセル指示アイコン５１６は、編集のキャンセルを指示するアイコンである。指示によって、マップガイドライン編集画面５００が閉じ、編集中の情報は破棄される。
【０１０１】
次に、図６は本発明の実施形態における技術ライフサイクル分析及び視覚化システムの表示装置に表示されるライフサイクルマップ出力画面の一例を示す図である。これは、図１におけるライフサイクルマップ１０９の出力例である。
【０１０２】
６０１は、ライフサイクルの各段階を表すライフサイクル段階表示領域である。ライフサイクル段階表示領域６０１は、図全体を２×２の象限として分割し、それぞれの象限がライフサイクルの各段階を表すとともに、段階の名称を図示する。ライフサイクル段階表示領域４０１では、「萌芽・衰退」、「試行・成長」、「中核」、「成熟」なっているが、これは実施の一例であり、モデルの観点、適用技術分野等により、適切に変更されるべきである。
【０１０３】
６０２は、図上の特定領域に分析観点からの特別な意味を表示するガイド領域である。ガイド領域は、分析観点に応じて、表示場所や表示サイズ、表示ガイドライン文言が変更されるべきである。一例としては、「戦略再検討領域」、「コア技術候補領域」、「撤退検討領域」などのガイドラインが表示される。
【０１０４】
６０３は、技術ライフサイクル分析及び視覚化システムによって算出決定されたキーワード名表示座標アイコンである。キーワード名表示座標アイコン６０３は、算出された着手指数及び実績指数を座標位置として持ち、算出対象となったキーワード名等の付加情報とともに、キーワードが属する技術カテゴリーによるアイコンの形状、サイズ、色の変更を行う。
【０１０５】
次に、技術ライフサイクル分析及び視覚化システムの基本的な処理フローについて、図７、図８、図９、図１０を用いて説明する。
【０１０６】
図７、図８、図９、図１０に示す各ステップの処理は、技術ライフサイクル分析及び視覚化システム１００（情報処理装置）のＣＰＵ２０１が、外部メモリ２１１等のメモリに格納されたプログラムをＲＡＭ２０３にロードして実行することにより実現される。
【０１０７】
上述したように、技術ライフサイクル分析及び視覚化システムの処理端末２００は、技術ライフサイクル分析及び視覚化システムが提供するモデル選択画面３００、モデル編集画面４００、マップガイドライン編集画面５００を介して、モデルの作成・管理とライフサイクルマップ生成に係る各種処理を実行し、ライフサイクルマップ出力画面６００として出力する。その一例について、以下に説明する。
【０１０８】
まず、図７は、本発明の実施形態における技術ライフサイクル分析及び視覚化システムにおけるモデル情報の管理（モデルの新規作成・複写・編集・削除）に関する処理フローを示す図である。
【０１０９】
はじめに、ステップ７０１では、ユーザーの操作によって、モデル選択画面３００を表示する。
【０１１０】
ステップ７０２では、新規モデルを作成する場合と、既存のモデルを手直しする場合について判断し、それぞれにステップに分岐する。
【０１１１】
新規にモデルを作成する場合は、ステップ７０３での新規モデル作成指示アイコン３０２による指示によって、ステップ７０４で作成済モデル一覧表示選択域３０１に新しいモデルが追加される。この時、新しいモデルのモデル名は「新規モデル＿０１」といった暫定的な名称がつけられ、モデル情報は正規分布曲線を元にした標準モデルで初期化される。
【０１１２】
一方、既存のモデルに変更を加える場合は、ステップ７０５に遷移し、既存モデルを複写して使うかどうかを判断し、それぞれにステップに分岐する。
【０１１３】
既存モデルの複写を行う場合には、ステップ７０６に遷移し、ステップ７０４で作成済モデル一覧表示選択域３０１から、複写したいモデル名を選択する。続いて、ステップ７０７で、選択モデル複写指示アイコン３０４による指示で、ステップ７０８で作成済モデル一覧表示選択域３０１に複写したモデルが追加される。この時、複写したモデルのモデル名は「複写した（元のモデル名）」といった暫定的な名称がつけられ、モデル情報は複写元のモデルと同じ値が設定される。
【０１１４】
続くステップ７０９では、作成済モデル一覧表示選択域３０１からモデルを選択する。ステップ７１０で、選択したモデルを削除するかどうかを判断し、それぞれにステップに分岐する。
【０１１５】
削除を行う場合には、ステップ７１１に遷移し、選択モデル削除指示アイコン３０５による指示で、ステップ７１２で作成済モデル一覧表示選択域３０１から、ステップ７０９で選択したモデルが削除される。
【０１１６】
削除ではなく、選択したモデルを編集したい場合は、ステップ７１３で、選択したモデルを削除するかどうかを判断し、編集を行う場合はステップ７１４に遷移し、選択モデル編集指示アイコン３０３による指示で、ステップ７１５でモデル編集画面４００を表示し、ステップ７０９で選択したモデルの編集処理を行う。モデル編集画面４００におけるフローは次下に示す。
【０１１７】
次に、図８は、本発明の実施形態における技術ライフサイクル分析及び視覚化システムにおけるモデル情報の編集に関する処理フローを示す図である。
【０１１８】
はじめに、ステップ８０１では、モデル選択画面３００における選択モデル編集指示アイコン３０３に対するユーザーの操作によって、モデル編集画面４００を表示する。
【０１１９】
次に、ステップ８０２で、モデル名表示入力域４０６に対してモデル名の設定・変更を行う。なお、モデル名表示入力域４０６は空欄にすることはできず、既存の他のモデル名との重複も許されない。条件が満たされない場合は、不図示の警告パネルが表示される。
【０１２０】
続くステップ８０３で標準モデルを設定するかどうか判断し、設定する場合にはステップ８０４で、標準モデル値設定指示アイコン４０９を操作することで、モデル名表示入力域４０６を除くモデル情報を標準モデル（システム初期値）で初期化できる。これは、モデル設定作業のやり直しや複写したモデルの初期化に用いる簡易設定機能である。
【０１２１】
続いて、ステップ８０５では、着手モデル関数（着手関数とも言う）表示入力域４０７及び実績モデル関数（実績関数とも言う）表示入力域４０８に対するモデル関数を設定する。すなわち、ステップ８０５では、技術の実績係数を求めるための実績関数と、技術の着手係数を求めるための着手関数とを設定する（設定手段）。
【０１２２】
ステップ８０４で標準モデルが設定された場合は、既に正規分布を元にした関数が表示されているため、必要ならパラメータを変更するだけでよい。モデル関数としては、正規分布、線形（一次関数）、８値均等を設定できるように、システム組込みで提供する。このうち８値均等は、８つの値を順に均等に配置するもので、市場調査からの集計値等の非数式型の係数を適用させる場合に用いる。また、着手モデル関数表示入力域４０７及び実績モデル関数表示入力域４０８に入力されたモデル関数のグラフ化イメージをモデル関数用グラフ表示域４１０に表示する。この時、モデル関数が設定されていない場合は、そのグラフは表示されない。また、入力値に不備がある場合は、不図示の警告パネルを表示する。
【０１２３】
続けて、ステップ８０６では、着手モデル関数期間延長調整操作用アイコン４０４及び実績モデル関数期間延長調整操作用アイコン４０５を用いて、モデル関数の一部の期間を延長する。具体的には、モデル関数によって描かれたグラフの一部を延長するための２つの操作ノブを操作する。一つは延長開始位置を決めるノブであり、もう一つは延長終了位置を決めるノブである。これらのノブは、延長開始時点のモデル関数の値を、延長終了位置まで引き延ばす機能を持つ。これは、技術ごとにライフサイクルの寿命や傾向が異なる場合に調整する働きを持つ。なお、標準モデルが設定されている場合には、その情報によって適切な初期ノブ位置に自動調整される。
【０１２４】
すなわち、ステップＳ８０５で設定された実績関数に従って、該設定された着手関数を、該実績関数と該着手関数の重なりが大きくなるように補正する（関数補正手段）。
【０１２５】
ここで、着手関数を補正可能な補正範囲は、図１６に示す着手期間調整の項目に記憶されている。図１６に示すように、実績関数と着手関数との関係に対して、着手関数を補正可能な補正範囲とを記憶している（補正記憶手段）。
【０１２６】
ステップＳ８０６では、ステップＳ８０５で設定された着手関数を、実績関数と着手関数との関係に対して図１６に示される補正範囲（着手期間調整）内で補正する。すなわち、着手期間調整の開始から終了までの範囲であれば、４０１に示すように着手関数の山の頂点を調整（補正）して実績関数と着手関数の重なりが大きくなるように着手関数を補正することできる。
【０１２７】
ステップＳ８０６では、自動的に、図１６に示される補正範囲内で補正しても良いし、上述の通り、ユーザーの操作に従って補正してもよい。ここでは、自動的に補正する際に、図１６に示される補正範囲（着手期間調整）の値で補正する。
【０１２８】
また、着手モデル関数期間延長調整操作用アイコン４０４及び実績モデル関数期間延長調整操作用アイコン４０５によって設定された情報は、モデル関数のグラフ化イメージをモデル関数用グラフ表示域４１０に反映される。
【０１２９】
そして、ステップ８０７では、基礎データ項目への時系列割当調整操作用アイコン（８系統）４０３を用いて、基礎データマスターＤＢ１０５で管理される基礎データ項目が、時系列のどの位置に該当するかを調整する。具体的には、このノブを、マウス２１０を用いて左右に動かすことで、時系列位置を調整する。ノブは、基礎データの数に合わせて、８系統提供される。なお、標準モデルが設定されている場合には、その情報によって適切な初期ノブ位置に自動調整される。
【０１３０】
具体的には、図４に示すように、ステップＳ８０５で設定された着手関数（４１０の点線のグラフ）、実績関数（４１０の実線のグラフ）に対して、４０３で指定される位置のそれぞれの値を、着手係数、実績係数として特定される。すなわち、着手関数に、４０３で指定される位置の値を代入することにより、着手係数を算出する。すなわち、ステップＳ８０６で補正された着手関数に従って、回答項目ごとに着手係数を算出する（１の算出手段）。また、実績関数に、４０３で指定される位置の値を代入することにより、実績係数を算出する。すなわち、ステップＳ８０５で設定された実績関数に従って、回答項目ごとに実績係数を算出する（第２の算出手段）。
このようにして算出された値は、それぞれ４０１、４０２の項目に表示される。
【０１３１】
モデルにマップガイドラインを紐づける場合は、ステップ８０８で判断した後、ステップ８０９でマップガイドライン編集指示アイコン４１２を操作し、編集対象となっているモデルに紐づけられているマップガイドライン情報の編集を指示する。指示によって、ステップ８１０でマップガイドライン編集画面５００が表示される。編集が終わると、編集対象モデル対応マップガイドライン名表示域４１１が最新のマップガイドライン名で更新される。
【０１３２】
最終的に編集した結果を保存するかどうかをステップ８１１で判断し、保存する場合には、ステップ８１２に遷移し、モデル編集情報設定保存指示アイコン４１３の指示によって、ステップ８１３でモデル編集画面４００が閉じ、モデルＤＢ１０２上の情報が更新される。逆に、情報を保存しないで終了する場合は、ステップ８１４でモデル編集処理キャンセル指示アイコン４１４に対する指示によって、モデル編集画面４００が閉じ、編集中の情報は破棄される。
【０１３３】
次に、図９は、本発明の実施形態における技術ライフサイクル分析及び視覚化システムにおけるマップガイドライン情報の編集に関する処理フローを示す図である。
【０１３４】
はじめに、ステップ９０１では、モデル編集画面４００におけるマップガイドライン編集指示アイコン４１２に対するユーザーの操作によって、マップガイドライン編集画面５００を表示する。
【０１３５】
次に、ステップ９０２で、マップガイドライン名表示入力域５０６に対してマップガイドライン名の設定・変更を行う。なお、マップガイドライン名表示入力域５０６は空欄にすることはできない。条件が満たされない場合は、不図示の警告パネルが表示される。
【０１３６】
ステップ９０３では、象限ラベル名表示入力域（４系統）５０７に対するラベル名の設定・変更を行う。ここで入力された値は、象限ラベル表示域５０２に反映される。また、ラベルの値を空欄にすることは許可される。その場合、象限ラベル表示域５０２には何も表示されない。
【０１３７】
ステップ９０４では、回転矢印ラベル表示指示アイコン５０８を操作して、回転矢印ラベル表示域５０３に回転矢印ラベルを表示するかどうかを指示する。回転矢印ラベル表示域５０３は、正規分布モデルを用いた場合に、そのライフサイクルの流れを回転矢印ラベルとして表示する領域である。
【０１３８】
以降、ステップ９０５〜９１７は、ガイド領域５０４に関わる処理フローであり、処理を必要とする回数分、処理が繰り返される。ガイド領域５０４は、分析支援のための情報であり、ライフサイクルマップ内の特定の領域が分析上意味を持つ場合、その領域に対してアイコンと名称を設定したものである。なお、ガイド領域５０４は、ライフサイクルマップ内に０個以上設定できる（つまり、不要であれば設定しなくてもよい）。
【０１３９】
まず、ステップ９０５では、新規のガイド領域を追加するかを判断する。この時、追加を行う場合には、ステップ９０６に遷移し、新規ガイド領域追加指示アイコン５１０を操作する。指示によって、ステップ９０７で編集対象マップガイドライン含有のガイド領域一覧表示選択域５０９に新しいガイド領域が追加される。この時、新しいガイド領域のガイド領域名は「新規ガイド領域＿０１」といった暫定的な名称がつけられ、暫定的な位置とサイズが設定される。
【０１４０】
次に、ガイド領域の削除を行う場合には、ステップ９０８にて判断後、ステップ９０９に遷移し、編集対象マップガイドライン含有のガイド領域一覧表示選択域５０９から削除したいガイド領域名を選択し、ステップ９１０で選択ガイド領域削除指示アイコン５１１によって、ステップ９１１で選択したガイド領域の削除を指示する。選択されているガイド領域名がない場合は、不図示の警告パネルを表示し、処理は行われない。
【０１４１】
また、ガイド領域の編集を行う場合は、ステップ９１２で判断後、ステップ９１３に遷移し、編集対象マップガイドライン含有のガイド領域一覧表示選択域５０９から編集したいガイド領域名を選択する。選択したガイド領域の情報は、選択ガイド領域名表示入力域５１２に名称が反映され、ステップ９１４で編集対象マップガイドラインイメージ表示域５０１上では選択されたガイド領域５０５として、囲みなどで強調表示が行われる。
【０１４２】
ステップ９１５では、マップガイドライン名表示入力域５０６の設定・変更を行う。値が変更されると、編集対象マップガイドラインイメージ表示域５０１上で選択されたガイド領域５０５のラベルも更新される。なお、マップガイドライン名表示入力域５０６の値として空欄は許可せず、不図示の警告パネルが表示される。
【０１４３】
ステップ９１６では、選択ガイド領域位置変更指示アイコン（上下左右４系統）５１３を用いて、選択しているガイド領域の表示位置を移動させる。それぞれのアイコンが示す方向に合わせ、選択されたガイド領域５０５を上下左右に移動させることができる。
【０１４４】
ステップ９１７では、選択ガイド領域サイズ変更指示アイコン（上下拡縮、左右拡縮４系統）５１４を用いて、選択しているガイド領域のサイズを変更させる。それぞれのアイコンが示す方向に合わせ、選択されたガイド領域５０５のサイズを上下拡縮、左右拡縮させることができる。この時、拡縮の基準位置は選択されたガイド領域５０５の右下角となり、残りの角は固定される。
【０１４５】
最終的に編集した結果を保存するかどうかをステップ９１８で判断し、保存する場合には、ステップ９１９に遷移し、マップガイドライン編集情報設定保存指示アイコン５１５の指示によって、ステップ９２０でマップガイドライン編集画面５００が閉じ、マップガイドラインＤＢ１０３及びガイド領域ＤＢ１０４上の情報が更新される。逆に、情報を保存しないで終了する場合は、ステップ８１４でマップガイドライン編集処理キャンセル指示アイコン５１６に対する指示によって、マップガイドライン編集画面５００が閉じ、編集中の情報は破棄される。
最後に、図１０は、本発明の実施形態における技術ライフサイクル分析及び視覚化システムにおけるライフサイクルマップ表示の処理フローを示す図である。
【０１４６】
はじめに、ステップ１００１では、ユーザーの操作によって、モデル選択画面３００を表示する。次に、ステップ１００２で、作成済モデル一覧表示選択域３０１から、表示対象となるモデルを選択する。
【０１４７】
この時、表示前にモデル情報を編集したい場合は、ステップ１００３にて判断後、ステップ１００４に遷移し、選択モデル編集指示アイコン３０３による指示で、ステップ１００５でモデル編集画面４００を表示し、選択したモデルの編集処理を行う。モデル編集画面４００におけるフローは図８にて示した。
【０１４８】
そして、ステップ１００６におけるライフサイクルマップ表示指示アイコン３１０による指示によって、ステップ１００７〜１０１３を実行し、ステップ１０１４において、図６に示すライフサイクルマップ出力画面６００を表示する。出力先としては、図２におけるＣＲＴ２１１が一般的であるが、通信Ｉ／ＦＣ２０８を介した外部の別な端末に出力してもよい。
ここで、本発明の実施形態における技術ライフサイクル分析及び視覚化システムが行うステップステップ１００７〜１０１３について、順に説明する。
【０１４９】
まず、ステップ１００７では、主に入力された集積済基礎データ１０８の加工を行う。本実施形態における技術ライフサイクル分析及び視覚化システムで使用する図１１のような複数の多肢選択式のアンケート画面実施例から集積した組織別基礎データを管理するデータベースである。図１５に、データベース構造の具体例を示す。ここでは、基礎データ抽出部１１３で、集積済基礎データ１０８から全件または必要な範囲の基礎データを読み込み、管理を行う。
【０１５０】
図１５には、技術のライフサイクルの各過程時期を回答項目とするアンケートの結果として、当該回答項目ごとの回答数が記憶されている。図１５は、外部メモリ２１２などの外部メモリに記憶されている。
【０１５１】
基礎データ１，２，３・・・は、技術のライフサイクルの各過程時期を回答項目として示されたものであり、本実施形態の「利用予定なし」、「今後利用する可能性あり」、「試行・研究・学習中」・・・に対応している。
【０１５２】
図１５では、各組織が、各技術分野（メインフレーム、ブレードサーバ等）に対して、どのような技術のライフサイクルの過程時期であるかの回答結果を記憶している。
【０１５３】
図１５では、図示しないが、これらの回答結果の数を技術分野ごと、かつ、回答項目ごとに集計することで得られる、技術分野ごと、かつ回答項目ごとの回答数が記憶されている。
【０１５４】
次に、ステップ１００８では、指数算出部１１８は、モデル関数管理部１１５及び基礎データ時系列管理部１１６を用いて、ステップ１００２で選択されたモデル情報から、各基礎データ項目に割り当てられた時系列位置の値を着手モデル関数と実績モデル関数に適用し、着手係数（８系統）、実績係数（８系統）として導出する。その後、集積済基礎データ１０８内のキーワード項目ごとの基礎データの個数を集計し、その個数に導出した着手係数、実績係数をそれぞれかけ合わせて加重平均を算出し、算出した値をそれぞれ着手指数、実績指数とする（着手算出手段、実績算出手段）。ここで、ｎは多肢選択式の選択肢数、ｘは着手係数３０８、ｙは実績係数３０９、ｏはそれぞれの選択肢を選択した組織数（回答数）に相当し、この式を回答組織数で平均したものを用いる。すなわち、上述した数式１を用いる。
【０１５５】
算出に用いられる集積済基礎データ１０８は、ステップ１００７で抽出されたものである。
【０１５６】
続くステップ１００９では、座標算出部１２０を用いて、算出されたキーワード項目ごとの着手指数、実績指数を、それぞれ座標のＹ座標値、Ｘ座標値として組とし、キーワード項目をラベルとして付記して座標位置にアイコンを生成する。
【０１５７】
このように、着手指数、実績指数を座標軸とするマップ（ライフサイクルマップ１０９）に、算出されたキーワード項目ごとの着手指数、実績指数を座標として配置するアイコンを生成する。そして、ステップＳ１０１３で出力されるライフサイクルマップ１０９に、当該アイコンが配置される。
【０１５８】
ステップ１０１１にあるように、図１８に示すモデル情報にマップガイドライン識別子が設定されている場合は、ステップ１０１２により、対応するマップガイドラインを、ライフサイクルマップに合成する。
【０１５９】
最後に、ステップ１０１３では、分析マップ表示部１１９の各機能を用いて生成されたライフサイクルマップ１０９を表示（出力）する（出力手段）。表示の一例を図６に示す。
【０１６０】
また、図１１は、本発明の実施形態における技術ライフサイクル分析及び視覚化システムで用いられる多肢選択式のアンケート画面実施例である。ここでは、八肢の選択肢を用意し、回答を求めている。設問は技術カテゴリー、技術要素の数だけ用意されるが、それぞれは独立して集計される。
【０１６１】
次に、図１２〜１８を用いて、本発明の実施形態における技術ライフサイクル分析及び視覚化システムで用いられる情報テーブル及び入力データについて説明する。
【０１６２】
図１２は、本発明の実施形態における技術ライフサイクル分析及び視覚化システムで使用する基礎データのマスターテーブルを示す図である。これは、例えば、図１１に示すような多肢選択式のアンケートの選択肢の項目に相当し、回答された選択肢と基礎データＩＤとの対応を管理するのに用いられる。
【０１６３】
図１３は、本発明の実施形態における技術ライフサイクル分析及び視覚化システムで使用する組織情報の情報テーブルを示す図である。これは、図１における組織情報ＤＢ１０６に相当し、指数算出部１１８によって利用される。格納媒体として、一般的には、図２における外部メモリ２１２を利用したデータベース管理システム、またはファイル等を用いるが、通信Ｉ／ＦＣ２０８を介した外部の別なサーバに格納してあってもよい。また、組織情報ＤＢ項目として、組織識別子と組織名をあげたが、付属する情報はこれらに限定されない。所属人数、役割、スキル等との連携も行うことができる。
【０１６４】
図１４は、本発明の実施形態における技術ライフサイクル分析及び視覚化システムで使用する技術用語情報の情報テーブルを示す図である。これは、図１における技術用語ＤＢ１０７に相当し、指数算出部１１８によって利用される。格納媒体として、一般的には、図２における外部メモリ２１２を利用したデータベース管理システム、またはファイル等を用いるが、通信Ｉ／ＦＣ２０８を介した外部の別なサーバに格納してあってもよい。また、技術用語ＤＢ項目として、分類とキーワードをあげたが、付属する情報はこれらに限定されない。分類は多階層であってもよい。これらの情報は、図６におけるキーワード名座標表示アイコン６０３に用いられ、キーワード名等の付加情報とともに、キーワードが属する分類によるアイコンの形状、サイズ、色の変更を行う。これにより、たとえば、分析対象組織がどの分野に強くどの分野に弱いのかを明示することが可能になる。
【０１６５】
図１５は、本発明の実施形態における技術ライフサイクル分析及び視覚化システムで使用する複数の多肢選択式のアンケート画面実施例（図１１）から抽出した組織別基礎データを集積した情報テーブルを示す図である。これは、図１における集積済基礎データ１０８に相当する。組織ごとに独立した異なる基礎データ値を持っており、加工して用いる。格納媒体として、一般的には、図２における外部メモリ２１２を利用したデータベース管理システム、またはファイル等を用いるが、通信Ｉ／ＦＣ２０８を介した外部の別なサーバに格納してあってもよい。
【０１６６】
図１６は、発明の実施形態における技術ライフサイクル分析及び視覚化システムで使用するモデル情報テーブルを示す図である。これは、図１におけるモデルＤＢ１０２に相当し、モデル情報管理部１１４を通じて利用される。ここでは、モデル識別子で識別されるモデル情報を管理する。モデル情報には、モデル名、モデル関数、着手期間調整値、実績期間調整値、基礎データ時系列割当値、マップガイドライン識別子といった情報が含まれる。また、マップガイドライン識別子は、マップガイドラインを識別するＩＤであり、図１７のマップガイドライン情報テーブル内の情報選択に利用される。
【０１６７】
図１７は、発明の実施形態における技術ライフサイクル分析及び視覚化システムで使用するマップガイドライン情報テーブルを示す図である。これは、図１におけるマップガイドラインＤＢ１０３に相当し、モデル情報管理部１１４を通じて利用される。ここでは、マップガイドライン識別子で識別されるマップガイドライン情報を管理する。マップガイドライン情報には、マップガイドライン名、象限設定情報といった情報が含まれる。一つのマップガイドライン情報には、０個以上のガイド領域情報が関係づけられ、図１８のガイド領域情報テーブルで管理される。
【０１６８】
図１８は、発明の実施形態における技術ライフサイクル分析及び視覚化システムで使用するガイド領域情報テーブルを示す図である。これは、図１におけるガイド領域ＤＢ１０４に相当し、モデル情報管理部１１４を通じて利用される。ここでは、ガイド領域識別子で識別されるガイド領域情報を管理する。ガイド領域情報には、ガイド領域名、ガイド領域の位置・サイズ情報、所属マップガイドライン識別子といった情報が含まれる。所属マップガイドライン識別子は、ガイド領域情報が所属するマップガイドラインを識別するＩＤであり、図１７のマップガイドライン情報テーブル内の情報選択に利用される。
【０１６９】
選択式の１つの質問に対する回答を処理するにあたり、従来方式では回答選択肢の排他的な分類と係数設定を行っていたが、本発明では選択肢の排他的な分類は行わず、マップの縦軸・横軸に対して、独立した異なる分析観点からとらえた着手と実績の二つの関数をモデルとして適用する。これは、着手・試行の推移と、実績・普及の推移は時期をずらしながらも、並行して進行するという仮定をモデル化したものである。その上で、適用したモデルによって算出された係数の加重平均を求めることで、各観点の指数を決定する。最終的に、決定された指数を基として、各軸の座標成分とする。
【０１７０】
また、従来方式ではライフサイクルは分布状況のみで説明されていたが、本発明では図の領域自体に意味を持たせることを可能とした。具体的には、図全体を２×２の象限として分割し、それぞれの象限がライフサイクルの各段階を表す。さらに、図上に、各象限の名称を象限ラベル名として図示し、分析者の理解を補助するものとした。そして、従来方式ではライフサイクルの各段階の位置や解釈は分布状況のみで説明されていたが、本発明では判断の補助となるガイド領域を図中に合成することとした。この各象限ラベル名と複数のガイド領域の集合をまとめて、マップガイドラインと呼び、カスタマイズ可能なものとした。図６は、マップガイドラインの合成例である。このマップガイドラインは、モデルと同様に、分析観点を反映したものであるため、モデルと対となる形で管理し、再利用するものとした。
【０１７１】
さらに、本発明では、分析に利用するモデルを交換可能なものとし、さまざまな観点の分析に適用可能とした。いうまでもなく、適用したモデルに応じ、図中のマッピングは動的に変更される。利用可能なモデルの例としては、標準モデルとして正規分布曲線を利用したモデルを提供するが、分析対象となる技術分野によって、その技術の寿命や傾向が異なることから、標準モデルをカスタマイズ可能にすることで対応した。標準モデル以外では、線形モデルや市場統計等の実際的なデータから得られた非数学的モデルを用いることも可能である。
【０１７２】
本発明によれば、分析観点ごとに独立したモデル関数を適用することで、ライフサイクルマップの縦軸・横軸の分析観点を明確に示すことになる。
【０１７３】
また、本発明では、ライフサイクルマップの図面自体を明確に領域定義することで、各技術のライフサイクル段階を明確に読み取ることが可能となる。
【０１７４】
そして、本発明では、モデルに応じたガイドラインをライフサイクルマップに合成することで、各技術分布の解釈を補助し、必要となる技術に対する投資判断を行いやすくする効果を持つ。
【０１７５】
さらに、本発明では、分析に利用するモデルを交換可能にすることにより、多様な分析観点に基づく分析結果の視覚化を可能としている。
【０１７６】
以上説明したように、本実施の形態によれば、設定される実績関数に従って、着手関数を、実績関数と該着手関数の重なりが大きくなるように補正し、当該補正された着手関数に従って算出される着手係数と、該実績関数とに従って得られる着手指数と実績指数とを座標としてライフサイクルマップに出力することにより、より適切に、技術のライフサイクルを捉えることを可能となる。  
【０１７７】
以上、本発明の一実施形態を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。  
【０１７８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。  
【０１７９】
この場合、記憶媒体から読み出されたプログラムコード自体が前述した実施形態の機能を実現することになり、プログラムコード自体及びそのプログラムコードを記憶した記憶媒体は本発明を構成することになる。  
【０１８０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。  
【０１８１】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。  
【０１８２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【０１８３】
１００  情報処理装置
１０１  ユーザー指示端末
１０２  モデルデータベース
１０３  マップガイドラインデータベース
１０４  ガイド領域データベース
１０５  基礎データマスターデータベース
１０６  組織情報データベース
１０７  技術用語データベース
１０８  集積済基礎データ
１０９  ライフサイクルマップ
１１０  モデル編集用ユーザーインターフェース
１１１  モデル加工部
１１２  マップガイドライン加工部
１１３  基礎データ抽出部
１１４  モデル情報管理部
１１５  モデル関数管理部
１１６  基礎データ時系列管理部
１１７  マップガイドライン管理部
１１８  指数算出部
１１９  分析マップ表示部
１２０  座標算出部
１２１  マップガイドライン合成部
【図１】
2012118673.tif 000005
【図２】
2012118673.tif 000006
【図３】
2012118673.tif 000007
【図４】
2012118673.tif 000008
【図５】
2012118673.tif 000009
【図６】
2012118673.tif 000010
【図７】
2012118673.tif 000011
【図８】
2012118673.tif 000012
【図９】
2012118673.tif 000013
【図１０】
2012118673.tif 000014
【図１１】
2012118673.tif 000015
【図１２】
2012118673.tif 000016
【図１３】
2012118673.tif 000017
【図１４】
2012118673.tif 000018
【図１５】
2012118673.tif 000019
【図１６】
2012118673.tif 000020
【図１７】
2012118673.tif 000021
【図１８】
2012118673.tif 000022